(57)【要約】      （修正有）【課題】子犬のケージ内の清掃時等に安全で省スペースで子犬を保持できる子犬ホルダーを提供する。【解決手段】骨材２及び骨材３の各脚交差部１３及び脚交差部１４が、無段階調節できるよう構成されており、前足挿入穴１０が複数個及びあご用切り欠け部１２が設けられた前足保持部４並びに後足挿入穴１１が複数個設けられた後足保持部５であって、該前足保持部４の端６及び端７並びに該後足保持部５の端８及び端９が、各々骨材２及び骨材３の各ストレート部１５及びストレート部１６に沿って動くよう設けられた構造とする子犬ホルダー。【選択図】    図１
2005000146.tif 000002
【特許請求の範囲】
【請求項１】
骨材（２）及び骨材（３）の各脚交差部（１３）及び脚交差部（１４）が、無段階調節できるよう構成されており、前足挿入穴（１０）が複数個及びあご用切り欠け部（１２）が設けられた前足保持部（４）並びに後足挿入穴（１１）が複数個設けられた後足保持部（５）であって、該前足保持部（４）の端（６）及び端（７）並びに該後足保持部（５）の端（８）及び端（９）が、各々、骨材（２）及び骨材（３）の各ストレート部（１５）及びストレート部（１６）に沿って動くよう設けられたことを特徴とする子犬ホルダー（１）。
【発明の詳細な説明】
【０００１】
【産業上の利用分野】
本発明は、子犬のケージ内の清掃時等において、子犬を簡便に保持できるものとした子犬ホルダーに関するものである。
【０００２】
【従来の技術】
従来、子犬をケージにいれて飼っている場合、糞尿トレイ等に糞尿をした場合躾けが未だ十分出来ていないと子犬の足に糞尿等の汚物が付着する場合が多く、先に子犬の足を掃除用濡れティッシュや雑巾等できれいにした後で、糞尿シーツ等の取り替えやケージの中の掃除にとりかからなければならず、足が汚れていなくても、シーツの取り替えやケージの中の清掃時には、子犬を別の場所に移動するか、他の人に抱いてもらって掃除しなければならなかった。
又、散歩等から帰ったとき、玄関先等で足を拭いたり、洗ったりしていた。
【０００３】
【発明が解決しようとする課題】
しかしながら、ケージの中の掃除時、子犬自身の足に汚物が付いていると一人でその作業をする場合、犬を片手にぶら下げて足を拭き、先に子犬をきれいにしてからケージの掃除にとりかからなければならず、汚れたケージの中にきれいになった子犬をそのまま戻してしまうと、子犬が再びケージの中で汚れたり、手にまとわりついてきたりして掃除の邪魔になった。
又、散歩等から帰った際、子犬の足を洗う場合、子犬が暴れてじっとしてくれず、短時間で効率よく足をきれいにすることが困難であった。
本発明の目的はこれら従来の課題を解決し、今までにない子犬ホルダーを提供することにある。
【０００４】
【課題を解決するための手段】
骨材（２）及び骨材（３）の各脚交差部（１３）及び脚交差部（１４）が、無段階調節できるよう構成されており、前足挿入穴（１０）が複数個及びあご用切り欠け部（１２）が設けられた前足保持部（４）並びに後足挿入穴（１１）が複数個設けられた後足保持部（５）であって、該前足保持部（４）の端（６）及び端（７）並びに該後足保持部（５）の端（８）及び端（９）が、各々骨材（２）及び骨材（３）の各ストレート部（１５）及びストレート部（１６）に沿って動くよう設けておく。
本発明は、以上のような構成からなる子犬ホルダーである。
【０００５】
【作用】
本発明は以上の構成であるから、清掃時等に安全に省スペースで子犬を保持できる。
【０００６】
【実施例】
以下、本発明の実施例を図１、図２、図３及び図４で説明するが、これによって本発明は限定されるものではない。
前足保持都（４）には予め前足挿入穴（１０）が複数個あけられており、又、子犬のあご用切り欠け部（１２）も設けておく。同様に後足保持部（５）にも予め後足挿入穴（１１）が複数個あけられている。
一方、前足保持部（４）の端（６）は骨材（３）のストレート部（１５）に沿って動くよう設けられており、同様にもう一方の端（７）は骨材（２）のストレート部（１６）に、又後足保持部（５）の端（８）は骨材（３）のストレート部（１５）に、同様にもう一方の端（９）は骨材（２）のストレート部（１６）にそれぞれ沿って動くように設けられている。
又、骨材（２）及び骨材（３）はコの字形としておき、各脚交差部（１３）及び脚交差部（１４）において無段階調節出来るよう、例えば蝶ネジなどの手段でネジ止めしておく。もちろんこの無段階調節出来るネジ止めの強度は子犬を各保持部にセットした状態でゆるんだりしないようにしておく。
このようにして構成された子犬ホルダー（１）を図２のごとく開脚した状態で子犬の後足を後足保持部（５）の後足挿入穴（１１）に入れ、次に前足を前足保持部（４）の前足挿入穴（１０）に４本とも、確実に足の付け根まで入れて子犬を保持する。
図３は本発明の子犬ホルダー（１）使用時の正面斜視を示している。
図４は本発明の子犬ホルダー（１）を折り畳んで省スペースに収納したものを示している。
【０００７】
【発明の効果】
本発明の子犬ホルダーは以上ような構造であるため、ケージの中の糞尿等の清掃時、子犬を片手にぶら下げたままケージの掃除に取りかからなくても良く、先に子犬をきれいにしたのであれば、そのまま本発明の子犬ホルダーに子犬を保持させておいて、ケージの掃除にとりかかれば良い。
これによってせっかくきれいにした子犬を汚れたケージに戻して掃除する必要もなくなるため、再度ケージの中が汚れたり、子犬がまとわりついて掃除の邪魔にならなくなる。
更に清掃の作業を一人で行えるメリットもある。
本発明における子犬ホルダー（１）の形状、大きさ、デザイン、材質、製造方法等は特に限定されることはない。
骨材（２）及び骨材（３）は、アルミ等の軽くて錆びず安価な金属が適している。又、該骨材（２）及び骨材（３）の各脚交差部（１３）及び脚交差部（１４）の無段階調節出来る設置方法や構造も特に限定はされないが、使用時に骨材（２）及び骨材（３）を広げ、子犬の前足及び後足を各前足挿入穴（１０）及び後足挿入穴（１１）に入れた際に前足保持部（４）及び後足保持部（５）がピンと張った状態ではなく、子犬の胴体をハンモック状に包み込むように該骨材（２）及び骨材（３）の広がり幅にゆとりを持たせるように予め飼っている子犬の大きさに合わせて調節し固定しておけば、使用時に慌てること無く簡便に用いる事が出来る。
又、胴体をハンモック状に包み込むことにより、子犬が暴れても子犬ホルダー（１）が倒れたり、各前足保持部（４）及び後足保持部（５）から容易に抜け出すことが出来ないものとなる。
又、前足保持部（４）及び後足保持部（５）は各骨材（２）及び骨材（３）の設置部に沿って動くことが出来、更には前足保持部（４）及び後足保持部（５）に設けられた前足挿入穴（１０）及び後足挿入穴（１１）も複数個設けているため、子犬の大きさ等に応じてきめ細かく対応できるものとなる。
なお本発明における前足保持部（４）及び後足保持部（５）は子犬の足を挿入する際、挿入しやすく、例え子犬の足が汚れていても後で簡単に汚れの落とせるような、例えばナイロン地等が用いられるが、特に限定されることはない。
又、設置方法も骨材（２）及び骨材（３）をスライド出来るように、ゆとりを持たせて骨材（２）及び骨材（３）に巻き付けて縫い付けて設置するのが好ましいが、これに限定されるものではない。
又、前足挿入穴（１０）及び後足挿入穴（１１）の大きさや形も特に限定されることはなく、製造の都合で単なる切り込みを入れるだけであったり、デザイン的に子犬の足形のようなかわいいものとしても良い。
そして穴の設ける数や位置も特に限定されることはなく、子犬の種類等に応じて適切に決めればよい。
【０００８】
【図面の簡単な説明】
【図１】本発明の１実施例を示す斜視図である。
【図２】本発明において子犬を装着した１実施例を示す斜視図である。
【図３】本発明において子犬を装着した１実施例を示す斜視図である。
【図４】本発明の子犬ホルダーを収納した１実施例を示す斜視図である。
【符号の説明】
１  子犬ホルダー    ２  骨材    ３  骨材    ４  前足保持部
５  後足保持部    ６  端    ７  端    ８  端    ９  端
１０  前足挿入穴    １１  後足挿入穴    １２  あご用切り欠け部
１３  脚交差部    １４  脚交差部    １５  ストレート部
１６  ストレート部
【図１】
2005000146.tif 000003
【図２】
2005000146.tif 000004
【図３】
2005000146.tif 000005
【図４】
2005000146.tif 000006